(57)【要約】【課題】内蔵の表示手段にも外部の表示装置にも並行してＯＳＤ付き画像データを出力する場合、それぞれに適した表示エリア内にＯＳＤを表示する画像表示装置を提供する。【解決手段】マイコン２０は、取得した表示用画像データの表示画面内の第１のエリア内にオン・スクリーン・ディスプレイ表示を合成するようにして、テレビジョン受像機２又はテレビジョン受像機３に出力するためのＯＳＤ付き画像データを生成し、その生成処理と相前後して、又は並行して、取得した表示用画像データの表示画面内の第２のエリア内にオン・スクリーン・ディスプレイ表示を合成するようにして、ＬＣＤ６２に出力するためのＯＳＤ付き画像データをも生成するようＯＳＤ合成部３０を制御する。【選択図】図２
2008051924.tif 000002
【特許請求の範囲】
【請求項１】
表示用画像データを取得する画像取得手段と、
前記取得した表示用画像データにオン・スクリーン・ディスプレイ表示を合成してＯＳＤ付き画像データを生成するＯＳＤ合成手段と、
前記生成されたＯＳＤ付き画像データ又はそのＯＳＤ付き画像データに所定の処理が施されたＯＳＤ付き画像データを外部表示装置に出力する外部出力手段と、
前記生成されたＯＳＤ付き画像データ又はそのＯＳＤ付き画像データに所定の処理が施されたＯＳＤ付き画像データを表示する表示手段と、
前記取得した表示用画像データの表示画面内の第１のエリア内にオン・スクリーン・ディスプレイ表示を合成するようにして、前記外部表示装置に出力するためのＯＳＤ付き画像データを生成し、その生成処理と相前後して、又は並行して、前記取得した表示用画像データの表示画面内の第２のエリア内にオン・スクリーン・ディスプレイ表示を合成するようにして、前記表示手段に出力するためのＯＳＤ付き画像データをも生成するよう前記ＯＳＤ合成手段を制御する制御手段と、
を備える画像表示装置。
【請求項２】
前記画像取得手段は、
表示用画像データの元画像データを取得する元画像データ取得手段と、
前記取得された元画像データに基づいて表示用画像データを生成する表示画像生成手段と、を備え、
前記制御手段は、
前記外部表示装置に出力するための表示用画像データを生成し、この表示用画像データの生成とは別に、前記表示手段に表示するための表示用画像データを生成するよう、前記表示画像生成手段を制御する、
請求項１に記載の画像表示装置。
【請求項３】
前記制御手段は、
前記表示手段に表示するための表示用画像データ及び前記外部表示装置に出力するための表示用画像データを生成するよう前記表示画像生成手段を制御した後、
前記表示手段に表示するためのＯＳＤ付き画像データ及び前記外部表示装置に出力するためのＯＳＤ付き画像データを生成するよう前記ＯＳＤ合成手段を制御する、
請求項１に記載の画像表示装置。
【発明の詳細な説明】
【技術分野】
【０００１】
本発明は、ＯＳＤ付き画像データを表示可能な表示手段を備えるとともに、ＯＳＤ付き画像データを外部表示装置に出力可能な画像表示装置に関する。
【背景技術】
【０００２】
特許文献１は、表示領域が異なる複数の映像表示装置の中から選択された映像表示装置を検出し、選択された映像表示装置を示す信号に基づき、ＯＳＤ表示の表示位置及び表示範囲を設定するビデオカメラ用ＯＳＤ制御装置を開示している。
【０００３】
特許文献１に開示する装置によれば、複数の映像表示装置を有した機器において、各映像表示装置の映像信号に対する表示領域に違いがあった場合においても、ＯＳＤ表示を安定した位置に行うことができ、使用者にとって使い勝手のよいビデオカメラを提供することができる。
【特許文献１】特開２００２−２８１３５４号公報
【発明の開示】
【発明が解決しようとする課題】
【０００４】
しかしながら、上記従来の装置は、選択した一つの映像表示装置について、ＯＳＤ表示領域を最適化するものであって、複数の映像表示装置を選択した場合には適用できない。特に、内蔵の表示手段（ＬＣＤなど）にＯＳＤ付き画像を表示させつつ、外部の表示装置にＯＳＤ付き画像を出力する場合、不都合が生じる。具体的には、内蔵の表示手段に適するＯＳＤ付き画像を生成した場合には、外部の表示装置に適さない表示となる場合が生じる。一方、外部の表示装置に適するＯＳＤ付き画像を生成した場合には、内蔵の表示手段に適さない表示となる場合が生じる。
【０００５】
そこで、本発明は、内蔵の表示手段にも外部の表示装置にも並行してＯＳＤ付き画像データを出力する場合、それぞれに適した表示エリア内にＯＳＤを表示する画像表示装置を提供することを目的とする。
【課題を解決するための手段】
【０００６】
上記目的を達成するために、本発明の画像表示装置は、表示用画像データを取得する画像取得手段と、取得した表示用画像データにオン・スクリーン・ディスプレイ表示を合成してＯＳＤ付き画像データを生成するＯＳＤ合成手段と、生成されたＯＳＤ付き画像データ又はそのＯＳＤ付き画像データに所定の処理が施されたＯＳＤ付き画像データを外部表示装置に出力する外部出力手段と、生成されたＯＳＤ付き画像データ又はそのＯＳＤ付き画像データに所定の処理が施されたＯＳＤ付き画像データを表示する表示手段と、取得した表示用画像データの表示画面内の第１のエリア内にオン・スクリーン・ディスプレイ表示を合成するようにして、外部表示装置に出力するためのＯＳＤ付き画像データを生成し、その生成処理と相前後して、又は並行して、取得した表示用画像データの表示画面内の第２のエリア内にオン・スクリーン・ディスプレイ表示を合成するようにして、表示手段に出力するためのＯＳＤ付き画像データをも生成するようＯＳＤ合成手段を制御する制御手段と、を備える。
【０００７】
これにより、表示手段に適したＯＳＤ付き画像データを表示手段に表示できるとともに、外部表示装置に適したＯＳＤ付き画像データを外部表示装置にそれぞれ並行して表示できる。
【０００８】
なお、画像取得手段は、表示用画像データの元画像データを取得する元画像データ取得手段と、取得された元画像データに基づいて表示用画像データを生成する表示画像生成手段と、を備えるようにしてもよい。この場合、制御手段は、外部表示装置に出力するための表示用画像データを生成し、この表示用画像データの生成とは別に、表示手段に表示するための表示用画像データを生成するよう、表示画像生成手段を制御するようにする。
【０００９】
これにより、表示手段の表示仕様と外部表示装置の表示仕様とが異なる場合でも、それぞれに適した表示用画像データを生成し、表示できる。
【００１０】
さらに、制御手段は、表示手段に表示するための表示用画像データ及び外部表示装置に出力するための表示用画像データを生成するよう表示画像生成手段を制御した後、表示手段に表示するためのＯＳＤ付き画像データ及び外部表示装置に出力するためのＯＳＤ付き画像データを生成するようＯＳＤ合成手段を制御するようにしてもよい。
【００１１】
これにより、表示手段用のＯＳＤ付き画像データの生成処理と外部表示装置用のＯＳＤ付き画像データの生成処理の少なくとも一部は相前後して行うので、それぞれの生成処理が完了する時間が大きくずれることがない。すなわち、表示手段にＯＳＤ付き画像データを表示するタイミングと外部表示装置にＯＳＤ付き画像データを表示するタイミングとを近づけることができる。そのため、表示手段の表示と外部表示装置の表示とが異なることに伴う違和感は生じない。
【発明の効果】
【００１２】
以上のように、本発明によれば、内蔵の表示手段にも外部の表示装置にも並行してＯＳＤ付き画像データを出力する場合、それぞれに適した表示エリア内にＯＳＤを表示できる。
【発明を実施するための最良の形態】
【００１３】
（実施の形態１）
１．  構成
１．１  概要
本実施の形態１にかかるデジタルカメラ１は、図１に示すように、１６：９画面のテレビジョン受像機２と４：３画面のテレビジョン受像機３とに選択的に接続可能である。デジタルカメラ１は、操作部４６の操作に応じて、ＬＣＤ６２に画像を表示し、また、接続されているテレビジョン受像機２又はテレビジョン受像機３に出力する。その際、デジタルカメラ１は、画像にオン・ディスプレイ・スクリーン表示（以下、ＯＳＤ表示という）を合成する。
【００１４】
１．２  デジタルカメラの構成
図２は、デジタルカメラ１の構成を示すブロック図である。デジタルカメラ１は、撮像素子４１、ＡＤ変換器４２、画像処理部１０、マイコン２０、ＯＳＤ合成部３０、バッファメモリ４３、カードスロット４４、操作部４６、エンコーダ５１、ビデオ出力端子５２、ＬＣＤドライバ６１、ＬＣＤ６２を備える。
【００１５】
撮像素子４１は、被写体像を撮像して画像データを生成する。撮像素子４１は、例えば、ＣＣＤイメージセンサやＣＭＯＳイメージセンサ、ＮＭＯＳイメージセンサなどである。
【００１６】
ＡＤＣ４２は、撮像素子４１で生成された画像データをデジタル化する。
【００１７】
画像処理部１０は、ＡＤＣ４２で変換された画像データに対して、所定の画像処理を施す。所定の画像処理とは、例えば、γ変換処理、ホワイトバランス補正処理、ＹＣ変換処理、電子ズーム処理、圧縮処理、伸長処理などである。画像処理部１０は、ハードワイヤードなＤＳＰで構成してもよく、ソフトウェアを搭載したマイコンで構成してもよい。
【００１８】
前処理部１１は、γ変換処理やホワイトバランス補正などを行う。前処理部１１で処理された画像データは一旦バッファメモリ４３に格納される。ＹＣ変換部１２は、前処理部１１で処理されバッファメモリ４３に格納されている画像データを読み出して、ＹＣデータに変換する。変換前の画像データは、例えば、ＲＧＢデータである。電子ズーム部１６は、ＹＣデータに対して電子的に拡大又は縮小する。圧縮部１５は、ＹＣデータに対して圧縮処理を施す。圧縮処理としては、例えば、ＪＰＥＧ形式の処理等である。伸長部１４は、圧縮データに対して、伸長処理を施す。
【００１９】
マイコン２０は、デジタルカメラ１全体を制御する制御手段である。マイコン２０は、画像処理部１０やＯＳＤ合成部３０、エンコーダ５１などと、別の半導体素子で構成してもよく、同一の半導体素子で構成してもよい。
【００２０】
ＯＳＤ合成部３０は、画像処理部１０で処理された画像データとマイコン２０から出力されるＯＳＤ表示とを合成する。
【００２１】
バッファメモリ４３は、画像処理部１０で画像処理する際の画像メモリとして機能する。また、バッファメモリ４３は、マイコン２０で演算する際のワークメモリとしても機能する。バッファメモリ４３は、ＤＲＡＭ、フラッシュＲＯＭ等、記憶手段であればよい。
【００２２】
カードスロット４４は、メモリカード４５を着脱可能である。カードスロット４４は、マイコン２０の制御に従って、メモリカード４５に格納されている画像データを読み出し、またメモリカード４５に画像データを格納する。
【００２３】
操作部４６は、十字キーや決定釦などの操作手段である。マイコン２０は、操作部４６で受け付けた指示に従って、各種制御を行う。
【００２４】
エンコーダ５１は、ＯＳＤ合成部３０で生成された画像データをビデオ出力用の画像データに変換する。エンコードされる画像データの形式としては、例えば、ＮＴＳＣ形式のテレビジョン信号などが考えられる。ビデオ出力端子５２は、エンコーダ５１でエンコードされた画像データを外部装置に出力するための出力手段である。
【００２５】
ＬＣＤドライバ６１は、ＯＳＤ合成部３０で生成された画像データをＬＣＤ６２に表示可能な画像データに変換する。ＬＣＤ６２は、ＬＣＤドライバ６１で生成された画像データを表示する。
【００２６】
２．  動作
２．１  再生時の動作
以上のように構成されたデジタルカメラ１を用いて、メモリカード４５に格納された画像データを再生するときの動作を、図３を参照して説明する。ここで、デジタルカメラ１は、ＴＶ受像機２又はＴＶ受像機３に接続された状態であるとする。そして、デジタルカメラ１は、ＬＣＤ６２に画像データを表示するとともに、ＴＶ受像機２又はＴＶ受像機３に画像データを出力する。
【００２７】
マイコン２０は、メモリカード４５に格納された画像データを再生することについて指示があるかどうかを監視する（Ｓ１）。そのような指示があると、マイコン２０は、カードスロット４４を介して、メモリカード４５から画像データを読み出す（Ｓ２）。
【００２８】
次に、マイコン２０は、画像データのアスペクト比を取得する（Ｓ３）。画像データは、例えば、Ｅｘｉｆ形式の画像ファイル内に格納されている。その画像ファイルのヘッダ部には、画像データの縦横のピクセル数が記載されている。マイコン２０は、ヘッダ部に記載されている縦横のピクセル数を読み出すことにより、読み出した画像データのアスペクト比を取得する。なお、アスペクト比の取得は、画像データの読み出しの前に行ってもよい。
【００２９】
次に、マイコン２０は、読み出した画像データに対して、画像処理部１０の伸長部１４で伸長処理させる（Ｓ４）。メモリカード４５から読み出した画像データは、例えば、ＪＰＥＧ形式の圧縮データである。伸長部１４は、この圧縮データをＹＣデータに変換するのである。
【００３０】
次に、マイコン２０は、伸長された画像データに対して、外部出力のための処理（Ｓ５）とＬＣＤ６２への表示のための処理（Ｓ６）とを並行して行う。
【００３１】
２．２  外部出力のための処理
図４は、外部出力のための処理を説明するためのフローチャートである。マイコン２０は、外部出力用画像のアスペクト比として現在設定されている値を読み出す（Ｓ５１）。この値は、操作部４６で受け付けたユーザーの指示に基づいて、マイコン２０内部のフラッシュＲＯＭに記憶されている。マイコン２０は、その値が１６：９画面用を指示するものである場合、ステップＳ５２に移行する。一方、マイコン２０は、その値が４：３画面用を指示するものである場合、ステップＳ５４に移行する。
【００３２】
ステップＳ５２において、電子ズーム部１６は、伸長部１４で伸長されバッファメモリ４３に一旦格納されている画像データをスクイズ処理する。ここで、スクイズ処理とは、画像データについて、横方向を電子縮小処理し、縦方向よりも横方向の電子的縮小率を高める処理をいう。したがって、スクイズ後の画像データは、元の画像データに比べて縦長の画像になる。また、縦方向にも横方向にも電子的に縮小処理するので、画像データの画素数は小さくなる。例えば、メモリカード４５から読み出した画像データが１０００万画素であっても、ステップＳ５２での処理により、外部出力用画像データは約２０万画素にまで縮小される。テレビジョン受像機２が、１０００万画素のような大きな画像データを、解像度を落とさないで表示することはできないからである。
【００３３】
次に、ＯＳＤ合成部３０は、画像処理部１０から取得した画像データにマイコン２０から取得したＯＳＤ表示を合成する（Ｓ５３）。このとき、ＯＳＤ合成部３０は、画像データを表示する画面の中央寄りの位置にＯＳＤ表示を合成する。例えば、ＯＳＤ合成部３０は、画像データを表示する画面の８５％の領域内でＯＳＤ表示が表示されるように合成する。
【００３４】
ステップＳ５４において、電子ズーム部１６は、伸長部１４で伸長されバッファメモリ４３に一旦格納されている画像データを電子的に縮小処理する。縦方向にも横方向にも電子的に縮小処理するので、画像データの画素数は小さくなる。例えば、メモリカード４５から読み出した画像データが１０００万画素であっても、ステップＳ５４での処理により、外部出力用画像データは約２０万画素にまで縮小される。テレビジョン受像機３が、１０００万画素のような大きな画像データを、解像度を落とさないで表示することはできないからである。なお、ステップＳ５４においては、ステップＳ５２と異なって、スクイズ処理をしないで、縦方向も横方向も等倍率で縮小処理する。
【００３５】
次に、ＯＳＤ合成部３０は、画像処理部１０から取得した画像データにマイコン２０から取得したＯＳＤ表示を合成する（Ｓ５５）。このとき、ＯＳＤ合成部３０は、ステップＳ５３と同様に、画像データを表示する画面の中央寄りの位置にＯＳＤ表示を合成する。例えば、ＯＳＤ合成部３０は、画像データを表示する画面の８５％の領域内でＯＳＤ表示が表示されるように合成する。
【００３６】
その後、エンコーダ５１は、ＯＳＤ合成部３０で合成された画像データをエンコードする（Ｓ５６）。ビデオ出力端子５２は、エンコードされた画像データをテレビジョン受像機２又はテレビジョン受像機３に出力する。テレビジョン受像機２又はテレビジョン受像機３は、ビデオ出力端子５２から出力される画像データを受けて、この画像データを表示する（Ｓ５７）。
【００３７】
２．３  ＬＣＤ表示
図５は、ＬＣＤ表示処理を説明するためのフローチャートである。
【００３８】
電子ズーム部１６は、伸長部１４で伸長されバッファメモリ４３に一旦格納されている画像データをスクイズ処理する（Ｓ６１）。縦方向にも横方向にも電子的に縮小処理するので、画像データの画素数は小さくなる。例えば、メモリカード４５から読み出した画像データが１０００万画素であっても、ステップＳ６１での処理により、ＬＣＤ表示用画像データは約２０万画素にまで縮小される。ＬＣＤ６２が、１０００万画素のような大きな画像データを、解像度を落とさないで表示することはできないからである。
【００３９】
次に、ＯＳＤ合成部３０は、画像処理部１０から取得した画像データにマイコン２０から取得したＯＳＤ表示を合成する（Ｓ６２）。このとき、ＯＳＤ合成部３０は、画像データを表示する画面の全面にＯＳＤ表示を表示可能に、画像データにＯＳＤ表示を合成する。つまり、ＯＳＤ合成部３０は、画像データを表示する画面の１００％の領域内でＯＳＤ表示が表示されるように合成する。したがって、ステップＳ６２における処理は、ステップＳ５３やステップＳ５５における処理とは異なる。
【００４０】
その後、ＬＣＤドライバ６１は、ＯＳＤ合成部３０で合成された画像データをＬＣＤ表示用の画像データに変換する（Ｓ６３）。ＬＣＤ６２は、変換された画像データを表示する（Ｓ６４）。
【００４１】
２．４  画像データの説明
図６は、上記の各処理後の画像データを模式的に示した図である。以下、図６を用いて各処理の内容を詳細に説明する。
【００４２】
２．４．１  テレビジョン受像機２に接続され１６：９画像データを伸長処理する場合
デジタルカメラ１がテレビジョン受像機２に接続されている場合であって、メモリカード４５に１６：９の画像データが格納され、この画像データを伸長し表示する場合を説明する。
【００４３】
メモリカード４５は、１６：９の画像データを格納している。伸長部１４は、この画像データを読み出し（Ｓ２）、この画像データを伸長処理する（Ｓ４）。伸長処理後の画像データＧ１００は、１６：９のアスペクト比である。また、画像データＧ１００の画素数は、例えば、１０００万画素といった大きなものである。画像データＧ１００は、未だスクイズ処理されておらず、縦長になっていない。
【００４４】
次に、電子ズーム部１６は、画像データＧ１００に対してスクイズ処理を行い、縦長の画像データＧ１１１を生成する（Ｓ６１）。画像データＧ１１１は、ＬＣＤ６２へ表示するための画像データである。画像データＧ１１１は、約２０万画素程度の画像データである。
【００４５】
次に、電子ズーム部１６は、画像データＧ１００に対してスクイズ処理を行い、縦長の画像データＧ１２１を生成する（Ｓ５２）。画像データＧ１２１は、テレビジョン受像機２へ出力するための画像データである。画像データＧ１２１は、約２０万画素程度の画像データである。
【００４６】
次に、ＯＳＤ合成部３０は、電子ズーム部１６で処理された画像データＧ１１１に、マイコン２０から取得したＯＳＤ表示を合成して、画像データＧ１１２を生成する（Ｓ６２）。ここで、ＯＳＤ表示は、予めスクイズ処理されている。従って、画像データＧ１１２は、画像もＯＳＤ表示も共に縦長である。また、ＯＳＤ表示は、画像データを表示するための画面の１００％の領域に表示される。
【００４７】
次に、ＯＳＤ合成部３０は、電子ズーム部１６で処理された画像データＧ１２１に、マイコン２０から取得したＯＳＤ表示を合成して、画像データＧ１２２を生成する（Ｓ５３）。ここで、ＯＳＤ表示は、予めスクイズ処理されている。従って、画像データＧ１２２は、画像もＯＳＤ表示も共に縦長である。また、ＯＳＤ表示は、画像データを表示するための画面の８５％の領域に表示される。
【００４８】
次に、ＬＣＤドライバ６１は、画像データＧ１１２をＬＣＤ６２に表示するための画像データＧ１１３に変換する（Ｓ６３）。そして、ＬＣＤ６２は、画像データＧ１１３を表示する（Ｓ６４）。ここで、画像データＧ１１３は、スクイズ処理された画像データＧ１１２の横方向を長く処理されている。そのため、縦長であった画像データＧ１１２が元の画像データＧ１００と同じように、通常の縦横の縮尺の画像データとなる。ＯＳＤ表示は、画面の１００％の領域に表示される。
【００４９】
次に、エンコーダ５１は、画像データＧ１２２をテレビジョン受像機２に出力するための画像データに変換する（Ｓ５６）。そして、ビデオ出力端子５２は、その画像データを出力する。テレビジョン受像機２は、受信した画像データを変換して、画像データＧ１２３を生成し、これを表示する（Ｓ５７）。ここで、画像データＧ１２３は、スクイズ処理された画像データＧ１２２の横方向を長く処理されている。そのため、縦長であった画像データＧ１２２が元の画像データＧ１００と同じように、通常の縦横の縮尺の画像データとなる。ＯＳＤ表示は、画面の８５％の領域に表示される。
【００５０】
２．４．２  テレビジョン受像機３に接続され１６：９画像データを伸長処理する場合
デジタルカメラ１がテレビジョン受像機３に接続されている場合であって、メモリカード４５に１６：９の画像データが格納され、この画像データを伸長し表示する場合を説明する。なお、ＬＣＤ６２に表示するための画像データＧ１１３を生成する方法は、上述の通りであるので、以下では説明を省略する。
【００５１】
電子ズーム部１６は、画像データＧ１００に対してスクイズ処理を行わないで、縦長でない画像データＧ１３１を生成する（Ｓ５４）。画像データＧ１３１は、テレビジョン受像機３へ出力するための画像データである。画像データＧ１３１は、約２０万画素程度の画像データである。
【００５２】
次に、ＯＳＤ合成部３０は、電子ズーム部１６で処理された画像データＧ１３１に、マイコン２０から取得したＯＳＤ表示を合成して、画像データＧ１３２を生成する（Ｓ５５）。ここで、ＯＳＤ表示は、予めスクイズ処理されている。従って、画像データＧ１３２は、画像は縦長でなく、ＯＳＤ表示は縦長である。また、ＯＳＤ表示は、画像データを表示するための画面の８５％の領域に表示される。また、画像データの上下には、黒い帯部が付加される。これにより、１６：９の画像データを４：３の画像データとしている。
【００５３】
次に、エンコーダ５１は、画像データＧ１３２を、テレビジョン受像機３に出力するための画像データに変換する（Ｓ５６）。そして、ビデオ出力端子５２は、その画像データを出力する。テレビジョン受像機３は、受信した画像データを、画像データＧ１３３としてそのまま表示する（Ｓ５７）。したがって、テレビジョン受像機３は、上下に黒い帯部のある、ＯＳＤ表示が縦長の画像データＧ１３３を表示する。ＯＳＤ表示は、画面の８５％の領域に表示される。
【００５４】
２．４．３  テレビジョン受像機２に接続され４：３画像データを伸長処理する場合
デジタルカメラ１がテレビジョン受像機２に接続されている場合であって、メモリカード４５に４：３の画像データが格納され、この画像データを伸長し表示する場合を説明する。
【００５５】
メモリカード４５は、４：３の画像データを格納している。伸長部１４は、この画像データを読み出し（Ｓ２）、この画像データを伸長処理する（Ｓ４）。伸長処理後の画像データＧ２００は、４：３のアスペクト比である。また、画像データＧ２００の画素数は、例えば、１０００万画素といった大きなものである。画像データＧ２００は、未だスクイズ処理されておらず、縦長になっていない。
【００５６】
次に、電子ズーム部１６は、画像データＧ２００に対してスクイズ処理を行い、縦長の画像データＧ２１１を生成する（Ｓ６１）。画像データＧ２１１は、ＬＣＤ６２へ表示するための画像データである。画像データＧ２１１は、約２０万画素程度の画像データである。
【００５７】
次に、電子ズーム部１６は、画像データＧ２００に対してスクイズ処理を行い、縦長の画像データＧ２２１を生成する（Ｓ５２）。画像データＧ２２１は、テレビジョン受像機２へ出力するための画像データである。画像データＧ２２１は、約２０万画素程度の画像データである。
【００５８】
次に、ＯＳＤ合成部３０は、電子ズーム部１６で処理された画像データＧ２１１に、マイコン２０から取得したＯＳＤ表示を合成して、画像データＧ２１２を生成する（Ｓ６２）。ここで、ＯＳＤ表示は、予めスクイズ処理されている。従って、画像データＧ２１２は、画像もＯＳＤ表示も共に縦長である。また、ＯＳＤ表示は、画像データを表示するための画面の１００％の領域に表示される。また、画像データの左右には、黒い帯部が付加されている。これにより、１６：９画面用の画像データを生成するのである。
【００５９】
次に、ＯＳＤ合成部３０は、電子ズーム部１６で処理された画像データＧ２２１に、マイコン２０から取得したＯＳＤ表示を合成して、画像データＧ２２２を生成する（Ｓ５３）。ここで、ＯＳＤ表示は、予めスクイズ処理されている。従って、画像データＧ２２２は、画像もＯＳＤ表示も共に縦長である。また、ＯＳＤ表示は、画像データを表示するための画面の８５％の領域に表示される。また、画像データの左右には、黒い帯部が付加されている。これにより、１６：９画面用の画像データを生成するのである。
【００６０】
次に、ＬＣＤドライバ６１は、画像データＧ２１２をＬＣＤ６２に表示するための画像データＧ２１３に変換する（Ｓ６３）。そして、ＬＣＤ６２は、画像データＧ２１３を表示する（Ｓ６４）。ここで、画像データＧ２１３は、スクイズ処理された画像データＧ２１２の横方向を長く処理されている。そのため、縦長であった画像データＧ２１２が元の画像データＧ２００と同じように、通常の縦横の縮尺の画像データとなる。ＯＳＤ表示は、画面の１００％の領域に表示される。
【００６１】
次に、エンコーダ５１は、画像データＧ２２２をテレビジョン受像機２に出力するための画像データに変換する（Ｓ５６）。そして、ビデオ出力端子５２は、その画像データを出力する。テレビジョン受像機２は、受信した画像データを変換して、画像データＧ２２３を生成し、これを表示する（Ｓ５７）。ここで、画像データＧ２２３は、スクイズ処理された画像データＧ２２２の横方向を長く処理されている。そのため、縦長であった画像データＧ２２２が、元の画像データＧ２００と同じように、通常の縦横の縮尺の画像データとなる。ＯＳＤ表示は、画面の８５％の領域に表示される。
【００６２】
２．４．４  テレビジョン受像機３に接続され４：３画像データを伸長処理する場合
デジタルカメラ１がテレビジョン受像機３に接続されている場合であって、メモリカード４５に４：３の画像データが格納され、この画像データを伸長し表示する場合を説明する。なお、ＬＣＤ６２に表示するための画像データＧ２１３を生成する方法は、上述の通りであるので、以下では説明を省略する。
【００６３】
電子ズーム部１６は、画像データＧ２００に対してスクイズ処理を行わないで、縦長でない画像データＧ２３１を生成する（Ｓ５４）。画像データＧ２３１は、テレビジョン受像機３へ出力するための画像データである。画像データＧ２３１は、約２０万画素程度の画像データである。
【００６４】
次に、ＯＳＤ合成部３０は、電子ズーム部１６で処理された画像データＧ２３１に、マイコン２０から取得したＯＳＤ表示を合成して、画像データＧ２３２を生成する（Ｓ５５）。ここで、ＯＳＤ表示は、予めスクイズ処理されている。従って、画像データＧ２３２は、画像は縦長でなく、ＯＳＤ表示は縦長である。また、ＯＳＤ表示は、画像データを表示するための画面の８５％の領域に表示される。
【００６５】
次に、エンコーダ５１は、画像データＧ２３２を、テレビジョン受像機３に出力するための画像データに変換する（Ｓ５６）。そして、ビデオ出力端子５２は、その画像データを出力する。テレビジョン受像機３は、受信した画像データを、画像データＧ２３３としてそのまま表示する（Ｓ５７）。ＯＳＤ表示は、画面の８５％の領域に表示される。
【００６６】
３．  まとめ
以上のように本実施の形態１にかかるデジタルカメラ１は、カードスロット４４と、画像処理部１０と、ＯＳＤ合成部３０と、エンコーダ５１と、ビデオ出力端子５２と、ＬＣＤ６２と、マイコン２０とを備える。カードスロット４４及び画像処理部１０からなる画像取得手段は、表示用画像データを取得する。ＯＳＤ合成部３０は、取得した表示用画像データにオン・スクリーン・ディスプレイ表示を合成してＯＳＤ付き画像データを生成する。エンコーダ５１及びビデオ出力端子５２からなる外部出力手段は、生成されたＯＳＤ付き画像データ又はそのＯＳＤ付き画像データに所定の処理が施されたＯＳＤ付き画像データをテレビジョン受像機２又はテレビジョン受像機３に出力する。ＬＣＤ６２は、生成されたＯＳＤ付き画像データ又はそのＯＳＤ付き画像データに所定の処理が施されたＯＳＤ付き画像データを表示する。マイコン２０は、取得した表示用画像データの表示画面内の第１のエリア内にオン・スクリーン・ディスプレイ表示を合成するようにして、テレビジョン受像機２又はテレビジョン受像機３に出力するためのＯＳＤ付き画像データを生成し、その生成処理と相前後して、又は並行して、取得した表示用画像データの表示画面内の第２のエリア内にオン・スクリーン・ディスプレイ表示を合成するようにして、ＬＣＤ６２に出力するためのＯＳＤ付き画像データをも生成するようＯＳＤ合成部３０を制御する。
【００６７】
これにより、テレビジョン受像機２又はテレビジョン受像機３に出力する際には、ＯＳＤ表示の表示エリアを小さくするので、ＯＳＤ表示がテレビジョン受像機の表示されない部分に隠れてしまうという問題を解決できる。また、ＬＣＤ６２に表示するためのＯＳＤ付き画像データを生成する際には、画面全面にＯＳＤ表示を表示可能であるため、画面の周辺にＯＳＤ表示を表示することが可能になる。そのため、ＯＳＤ表示が表示画像の邪魔になり難い。
【００６８】
また、本発明は、本実施の形態１に示すように、次の構成にも適用できる。すなわち、画像取得手段は、表示用画像データの元画像データを取得する元画像データ取得手段と、取得された元画像データに基づいて表示用画像データを生成する表示画像生成手段と、を備えるようにしてもよい。この場合、マイコン２０は、テレビジョン受像機２又はテレビジョン受像機３に出力するための表示用画像データを生成し、この表示用画像データの生成とは別に、ＬＣＤ６２に表示するための表示用画像データを生成するよう、表示画像生成手段を制御する。
【００６９】
これにより、テレビジョン受像機に出力するための表示用画像データとＬＣＤ６２に表示するための表示用画像データとを別個に生成するので、ＬＣＤ６２の表示仕様（例えば、画面アスペクト比など）とテレビジョン受像機の表示仕様とが異なる場合でも、それぞれに適した画像処理を容易に実現できる。
【００７０】
また、本発明は、本実施の形態１に示すように、次の構成にも適用できる。すなわち、マイコン２０は、ＬＣＤ６２に表示するための表示用画像データ及びテレビジョン受像機２又はテレビジョン受像機３に出力するための表示用画像データを生成するよう表示画像生成手段を制御した後、ＬＣＤ６２に表示するためのＯＳＤ付き画像データ及びテレビジョン受像機２又はテレビジョン受像機３に出力するためのＯＳＤ付き画像データを生成するようＯＳＤ合成部３０を制御するようにしてもよい。具体的には、本実施の形態１では、ステップＳ６１とステップＳ５２又はステップＳ５４とを実施した後に、ステップＳ６２とステップＳ５３又はステップＳ５５とを実施する。
【００７１】
これにより、ＬＣＤ６２用のＯＳＤ付き画像データの生成処理とテレビジョン受像機２又はテレビジョン受像機３用のＯＳＤ付き画像データの生成処理の少なくとも一部は相前後して行うので、それぞれの生成処理が完了する時間が大きくずれることがない。すなわち、ＬＣＤ６２にＯＳＤ付き画像データを表示するタイミングとテレビジョン受像機２又はテレビジョン受像機３にＯＳＤ付き画像データを表示するタイミングとを近づけることができる。そのため、ＬＣＤ６２の表示とテレビジョン受像機２又はテレビジョン受像機３の表示とが異なることに伴う違和感は生じない。
【００７２】
但し、本発明は、ＬＣＤ６２用のＯＳＤ付き画像データの生成処理とテレビジョン受像機２又はテレビジョン受像機３用のＯＳＤ付き画像データの生成処理との一方が完了した後、他方を開始し完了させる場合にも本発明は適用できる。この場合、それぞれの生成処理が完了する時間は、上記の構成の場合に比べて大きくなる。
【００７３】
（実施の形態２）
本発明は、実施の形態１の欄で示した形態の様々な変形例でも実現できる。このような変形例をまとめて実施の形態２として、以下説明する。
【００７４】
実施の形態１では、本発明の画像取得手段として、カードスロット４４と伸長部１４と電子ズーム部１６とからなる構成を例示し、本発明の表示用画像データとしてメモリカード４５から読み出した再生画像データを例示した。しかし、本発明はこれには限らない。例えば、画像取得手段として、撮像素子４１とＡＤＣ４２と画像処理部１０とからなる構成を採用してもよい。この場合は、表示用画像データは、メモリカード４５に記録するための画像データであってもよく、スルー画像データであってもよい。スルー画像データとは、メモリカード４５には記録しないが、ＬＣＤ６２に表示するための画像データである。要するに、本発明の画像取得手段は、表示用画像データを取得する手段であればよい。
【００７５】
実施の形態１では、外部表示装置として、テレビジョン受像機を例示した。しかし、本発明は、これには限らない。外部表示装置は、デジタルカメラ１からＯＳＤ付き画像データを受信して、受信した画像データを表示できるものであればよい。例えば、テレビジョン受信チューナーのないモニタであってもよい。
【００７６】
実施の形態１では、デジタルカメラ１は、１６：９の画面を有するテレビジョン受信機２と４：３の画面を有するテレビジョン受信機３とを選択的に接続するとした。しかし、本発明は、これには限らない。例えば、１６：９の画面を有するテレビジョン受信機２のみと接続できるようにしてもよい。また、他のアスペクト比の画面を有するテレビジョン受信機と接続できるようにしてもよい。
【００７７】
実施の形態１では、本発明の外部出力手段として、エンコーダ５１及びビデオ出力端子５２からなる構成を例示した。しかし、本発明は、これには限らない。例えば、デジタルカメラ１とテレビジョン受信機２又はテレビジョン受信機３とを無線の通信インターフェイスで接続してもよい。要するに、外部出力手段は、ＯＳＤ付き画像データを外部表示装置に出力するものであればよい。
【００７８】
実施の形態１では、本発明の表示手段として、ＬＣＤ６２を例示した。しかし、本発明は、これには限らない。例えば、有機ＥＬディスプレイ装置や無機ＥＬディスプレイ装置を表示手段としてもよい。要するに、表示手段は、ＯＳＤ付き画像データを表示可能なものであればよい。
【００７９】
実施の形態１では、本発明の制御手段として、マイコン２０を例示した。しかし、本発明は、これには限らない。例えば、ハードワイヤードなＤＳＰを制御手段としてもよい。要するに、制御手段は、所定の動作をするようにＯＳＤ合成手段を制御するものであればよい。
【００８０】
実施の形態１では、本発明の第１のエリアとして、表示用画像データの表示画面内の８５％の領域を例示し、本発明の第２のエリアとして、表示用画像データの表示画面内の１００％の領域を例示した。しかし、本発明は、これには限らない。要するに、第１のエリアが第２のエリアに比べて狭ければよい。例えば、本発明の第１のエリアとして、表示用画像データの表示画面内の７０％の領域とし、本発明の第２のエリアとして、表示用画像データの表示画面内の９０％の領域としてもよい。
【００８１】
実施の形態１では、本発明の元画像データ取得手段として、カードスロット４４を例示した。しかし、本発明は、これには限らない。撮像素子４１及びＡＤＣ４２からなる構成を元画像データ取得手段としてもよい。要するに、元画像データ取得手段は、表示用画像データの元画像データを取得する手段であればよい。
【００８２】
実施の形態１では、本発明の表示画像生成手段として、伸長部１４及び電子ズーム部１６からなる構成を例示した。しかし、本発明は、これには限らない。前処理部１１、ＹＣ変換部１２、電子ズーム部１６からなる構成を表示画像生成手段としてもよい。要するに、表示画像生成手段は、元画像データに基づいて表示用画像データを生成する手段であればよい。
【００８３】
実施の形態１では、外部表示装置に出力するための表示用画像データを生成し、この表示用画像データの生成とは別に、表示手段に表示するための表示用画像データを生成するようにした。しかし、本発明は、これには限らない。例えば、外部表示装置に出力するための表示用画像データを表示手段に表示するための表示用画像データと兼用してもよい。ただし、外部表示装置に出力するための表示用画像データと表示手段に表示するための表示用画像データとを別個に生成すれば、ＬＣＤ６２の画面アスペクト比とテレビジョン受像機の画面アスペクト比とが異なる場合でも、それぞれに適した画像処理を容易に実現できるという実施の形態１の効果を得られる。
【００８４】
実施の形態１では、メモリカード４５には、圧縮された画像データを格納するとした。しかし、本発明は、これには限らない。メモリカード４５には非圧縮の画像データを格納してもよい。例えば、非圧縮のＲＧＢ画像データを格納するようにしてもよい。この場合、伸長部１４を用いず、ＹＣ変換部１２及び電子ズーム部１６により、表示用画像データを生成できる。
【００８５】
実施の形態１では、１６：９のアスペクト比で出力する際には、一旦、画像データに対してスクイズ処理を施すとした。しかし、本発明は、これには限らない。スクイズ処理を行わないで表示用画像データを生成してもよい。
【００８６】
実施の形態１では、一旦、ＯＳＤ表示に対してスクイズ処理を施すとした。しかし、本発明は、これには限らない。スクイズ処理を行わないでＯＳＤ表示を生成してもよい。
【産業上の利用可能性】
【００８７】
本発明は、ＯＳＤ表示付き画像データを表示し、また、ＯＳＤ表示付き画像データを外部表示装置に出力できる画像表示装置に適用可能である。具体的には、デジタルスチルカメラ、ムービー、携帯電話端末、画像ビューアなどに適用できる。従って、必ずしも撮像機能は必須ではない。
【図面の簡単な説明】
【００８８】
【図１】本発明のデジタルカメラとテレビジョン受像機との接続状態を示す模式図
【図２】本発明のデジタルカメラの構成を示す模式図
【図３】本発明のデジタルカメラの再生動作を説明するためのフローチャート
【図４】本発明のデジタルカメラの外部出力のための処理を説明するためのフローチャート
【図５】本発明のデジタルカメラのＬＣＤ表示のための処理を説明するためのフローチャート
【図６】本発明のデジタルカメラの各処理工程における画像データを説明するための模式図
【符号の説明】
【００８９】
１    デジタルカメラ
２    １６：９画面テレビジョン受像機
３    ４：３画面テレビジョン受像機
１０    画像処理部
１４    伸長部
１６    電子ズーム部
２０    マイコン
３０    ＯＳＤ合成部
４４    カードスロット
５１    エンコーダ
５２    ビデオ出力端子
６１    ＬＣＤドライバ
６２    ＬＣＤ
【図１】
2008051924.tif 000003
【図２】
2008051924.tif 000004
【図３】
2008051924.tif 000005
【図４】
2008051924.tif 000006
【図５】
2008051924.tif 000007
【図６】
2008051924.tif 000008